(57)【要約】【課題】酸素富化空気の皮膚への効果を即時に実感できる酸素富化機を提供する。【解決手段】酸素富化空気を発生する酸素富化手段２と、前記酸素富化手段２に連通し前記酸素富化空気を吐出する酸素富化空気吐出部６とを有する酸素富化機本体１と、液体を収納するタンク１４と、前記液体を加熱し蒸気にする加熱手段１５と、前記蒸気を外部に吐出する蒸気吐出部１６とを有する美顔器本体１３とを備え、前記蒸気吐出部１６と前記酸素富化空気吐出部６とを接続部１８で連結し、前記接続部に孔２１を設けたので、前記孔２１を介して、蒸気と酸素富化空気とを同時に使用者の皮膚に噴霧でき、皮膚への効果が即時に実感できるようになる。【選択図】図１
2006174896.tif 000002
【特許請求の範囲】
【請求項１】
酸素富化空気を発生する酸素富化手段と、前記酸素富化手段に連通し前記酸素富化空気を吐出する酸素富化空気吐出部とを有する酸素富化機本体と、液体を収納するタンクと、前記液体を加熱し蒸気にする加熱手段と、前記蒸気を外部に吐出する蒸気吐出部とを有する美顔器本体とを備え、前記蒸気吐出部と前記酸素富化空気吐出部とを連結した酸素富化機。
【請求項２】
蒸気吐出部と前記酸素富化空気吐出部とを連結する接続部と、前記接続部に設けられ、美顔器吐出部から吐出される蒸気と酸素富化空気吐出部から吐出される酸素富化空気との混合気体を吹出す孔部とを備えた請求項１に記載の酸素富化機。
【請求項３】
接続部に平面部を設け、孔部を前記平面部に垂直に設けた請求項２に記載の酸素富化機。
【発明の詳細な説明】
【技術分野】
【０００１】
本発明は、酸素富化手段を用いて得られる所謂酸素富化空気を使用者に提供する酸素富化機に関するものである。
【背景技術】
【０００２】
従来の酸素富化機は、空気中の酸素を濃縮して酸素富化空気を発生させる装置本体と、これに接続され酸素富化空気を吐出する酸素富化空気吐出部とを基本構成とし、さらにマイナスイオン発生手段を備えたものがある（例えば、特許文献１参照）。
【特許文献１】特開平１０−２３４８３６号公報
【発明の開示】
【発明が解決しようとする課題】
【０００３】
しかしながら従来の酸素富化機で、酸素富化空気にマイナスイオンを付加したものは、その効果を短時間に使用者が実感することが難しいとの意見があった。酸素富化空気が人体に与える影響の検証が進む中、酸素富化空気を直接皮膚に噴射するとストレスや外部からの刺激で衰え老化した皮膚が本来の健康な状態に戻ろうとする作用を助ける効果、効能があることが解かってきた。そして、マイナスイオンでは得られ難い程、皮膚に有効に作用するとの臨床データもそろいつつある。
【０００４】
本発明は、酸素富化空気による効果が即時に実感できる酸素富化機を提供することを目的とする。
【課題を解決するための手段】
【０００５】
前記従来の課題を解決するために、本発明の酸素富化機は、酸素富化空気を発生する酸素富化手段と、前記酸素富化手段に連通し前記酸素富化空気を吐出する酸素富化空気吐出部とを有する酸素富化機本体と、液体を収納するタンクと、前記液体を加熱し蒸気にする加熱手段と、前記蒸気を外部に吐出する蒸気吐出部とを有する美顔器本体とを備え、前記蒸気吐出部と前記酸素富化空気吐出部とを連結したもので、蒸気と酸素富化空気とを同時に皮膚などに噴霧でき、酸素富化空気の効果を高めると共に、それを即実感できるものである。
【発明の効果】
【０００６】
本発明の酸素富化機は、蒸気で直接皮膚に刺激を感じると共に酸素富化空気も皮膚に吹き付けることができるため、蒸気と酸素とが相乗的に皮膚に作用させることができ使用感も充分感じながら蒸気と酸素とでの皮膚のお手入れをすることができる。
【発明を実施するための最良の形態】
【０００７】
第１の発明は、酸素富化空気を発生する酸素富化手段と、前記酸素富化手段に連通し前記酸素富化空気を吐出する酸素富化空気吐出部とを有する酸素富化機本体と、液体を収納するタンクと、前記液体を加熱し蒸気にする加熱手段と、前記蒸気を外部に吐出する蒸気吐出部とを有する美顔器本体とを備え、前記蒸気吐出部と前記酸素富化空気吐出部とを連結連結したもので、蒸気と酸素富化空気とを同時に皮膚などに噴霧でき、酸素富化空気の効果を高めると共に、それを即実感できるものである。
【０００８】
第２の発明は、第１の発明の蒸気吐出部と前記酸素富化空気吐出部とを連結する接続部と、前記接続部に設けられ、美顔器吐出部から吐出される蒸気と酸素富化空気吐出部から吐出される酸素富化空気との混合気体を吹出す孔部とを備えたもので、孔部から確実に、蒸気と酸素富化空気とを同時に皮膚などに噴霧できるものである。
【０００９】
第３の発明は、第２の発明の接続部に平面部を設け、孔部を前記平面部に垂直に設けたもので、均一に酸素を蒸気に混ぜ、使用者は蒸気と酸素富化空気とを同時に皮膚などに噴霧できる。
【００１０】
以下、本発明の実施の形態について、図面を参照しながら説明する。なお、この実施の形態について本発明が限定されるものではない。
【００１１】
（実施の形態１）
図１は、本発明の第１の実施の形態における酸素富化機の全体構成を示す斜視図、図２は、同酸素富化機の断面図、図３は、同酸素富化機の右側面図と背面図である。
【００１２】
図１〜図３において、酸素富化機本体（以下、本体と称す）１の内部には、本体１内に吸引された空気の酸素の濃度を高め、所謂酸素富化空気を発生する酸素富化手段である酸素富化膜ユニット２を配設している。空気が酸素富化膜ユニット２を通過することにより空気の酸素濃度は、通過前の通常の２１％（窒素約７９％）から、約３０％（窒素約７０％）まで高められる。
【００１３】
また、本体１の内部には、本体１の背面に設けた吸気口３から、本体１内に外気を吸引する給排気手段１２が設けてあり、本体１内に吸引された外気は酸素富化膜ユニット２の外周に送られ、酸素富化膜ユニット２を構成する酸素富化膜（図示せず）を通過することで、酸素が少なくなった残りの空気は、給排気手段１２により本体１の側面に設けた排気口４から外部へと排出される。吸引手段５は、前記本体１内に吸引された空気の一部を、酸素富化膜ユニット２の酸素富化膜を通過させるもので、ポンプで構成され、空気流路８を通り本体１の側面に設けられた酸素富化空気吐出部６と連通され、さらに、前記酸素富化空気吐出部６に連結された酸素富化空気吐出部７にチューブ９でつながれ酸素富化された空気を送り込んでいる。
【００１４】
制御手段１０は、給排気手段１２の反対側に位置しており、本体１の上面に設けた操作部１１により操作設定された運転時間の間運転を行い、異常がある場合は、停止する等の制御を行う。
【００１５】
１３は、美顔器本体で、美顔器本体１３の内部に、水を貯めたタンク１４を持ち、タンク１４に貯められた水は加熱手段１５にて加熱され、蒸気として移動可能な蒸気吐出部１６内に設けたノズル１７より噴霧される。
【００１６】
１８は、酸素富化機本体１を美顔器本体１３と共に使用する際に、蒸気吐出部１６に固定する接続部であり、複数の孔２１と、孔２１に連通すると共に、酸素富化空気吐出部７の代わりに、チューブ９の先端に接続されるチューブ接続部１９を備えている。
【００１７】
以上のように構成された酸素富化機についてその動作を説明する。
【００１８】
まず、美顔器本体１３のタンク１４に水を入れ加熱手段１５にて加熱する。水が加熱されることにより蒸気が発生し、これを蒸気吐出部１６のノズル１７から噴霧し、使用者の顔に蒸気が当たるようにして使用する。このとき、本体１でつくられた酸素富化空気を本体１の酸素富化空気吐出部６とチューブ接続部１９とをチューブ９でつないでいるため、美顔器本体１３の蒸気吐出部１６に接続した接続部１８の孔２１から酸素富化空気が出て、蒸気に酸素富化空気が混じり、使用者は酸素富化空気を蒸気とともに皮膚に当てることができる。
【００１９】
図４は、接続部１８の詳細を示す要部断面図であり、接続部１８の先端平面部２０に、孔２１を垂直に４個設けているが、この数については、孔２１の孔径との関係で決まるものであり、一例を示すものである。
【００２０】
また、接続部１８と美顔器本体１３の蒸気吐出部１６との固定を爪嵌合にて行っており、蒸気吐出部１６と接続部１８は蒸気が漏れないように、また、水滴となってこぼれないように面タイトされている。
【００２１】
本体１でつくられた酸素富化空気は、酸素富化空気吐出部６からチューブ９を介して、接続部１８のチューブ接続部１９を通り、蒸気吐出部１６と同心円状になっている接続部１８内を通り孔２１から噴出される。蒸気がノズル１７から出て広がろうとするのを接続部１８で規制し、孔２１は接続部１８の先端平面部２０に対して垂直に設けられているため、酸素富化空気が蒸気吐出部１６から出てくる蒸気を包み込むようにしている。このため、蒸気が使用者の皮膚に当たる範囲を狭くし、集中して当てることができ、酸素富化空気が湿っておらず、皮膚に対して気持ちの良い乾いた空気として当てることができる。
【００２２】
次に接続部１８の先端平面部２０に設けた孔２１の別の事例を、図５にて説明する。図５は、接続部１８の要部拡大断面図であり、先端平面部２０に設けられた孔２１は、蒸気吐出部１６の中心線上で、かつ先端平面部２０からある一定の距離離れたポイントに向くように、角度をつけて設けられ、酸素富化空気が一点に集中するようにしている。
【００２３】
動作を説明すると、本体１でつくられた酸素富化空気は、酸素富化空気吐出部６からチューブ９を介して、接続部１８のチューブ接続部１９を通り、蒸気吐出部１６と同心円状になっている接続部１８内を通り孔２１から噴出される。蒸気がノズル１７から出て広がろうとするのを接続部１８で規制し、孔２１は接続部１８の先端平面部２０に対して角度をつけて、蒸気吐出部１６の中心線上で、先端平面部２０からある一定の距離離れたポイントで酸素富化空気が集中するようにしているため、酸素富化空気が蒸気吐出部１６から出てくる蒸気に良く混ざり、例えば、一定の距離がちょうど皮膚の位置であれば、蒸気と酸素富化空気が効率よく集中して当たることとなる。
【００２４】
次に接続部１８の先端平面部２０に設けた孔２１の別の事例を図６にて説明する。図６は、接続部１８の要部拡大断面図であり、先端平面部２０の下端に延設した平面２４に孔２１を設けて集中して酸素富化空気を噴出するようにしている。
【００２５】
上記構成において動作を説明すると、本体１でつくられた酸素富化空気は、酸素富化空気吐出部６からチューブ９を介して、接続部１８のチューブ接続部１９を通り、蒸気吐出部１６の下方に設けられた平面２４の孔２１から噴出される。このため、使用者からみて酸素富化空気がどこから出ているのか分かりやすく、また、この部分の上下２部品のタイトが容易にできる。
【００２６】
次に接続部１８に設けた孔２１の位置を変えた別の事例を図７にて説明する。図７は、接続部１８の要部拡大断面図であり、蒸気吐出部１６に取り付けられた接続部１８の内面側壁２２に孔２１を設けて蒸気が出てくるところに酸素富化空気を噴出するようにしている。
【００２７】
上記構成において動作を説明すると、本体１でつくられた酸素富化空気は、酸素富化空気吐出部６からチューブ９を介して、接続部１８のチューブ接続部１９を通り、蒸気吐出部１６につながる接続部１８の内面側壁２２の孔２１から噴出される。この時、孔２１が内面側壁２２に設けられているが、この孔２１の孔径をチューブ接続部１９に近い側を小さく、遠くなるにつれて大きくして孔２１から噴出す流量を合わせている。
【００２８】
酸素富化空気が本体１内の吸引手段５により送り出されてくる圧力に対して同じ孔径だと、手前から酸素富化空気が噴出しているため、距離が遠い方の孔２１での圧力が低下し、同じ孔径だと圧力分流量が少なくなり蒸気が片側に押され、接続部１８から真っ直ぐでてこない。このため、この孔２１の孔径をチューブ接続部１９に近い側を小さく、遠くなるにつれて大きくすることで、蒸気に対して均等に酸素富化空気が当たるようにして噴出される蒸気が真っ直ぐに接続部１８から出るようにすることができる。また、蒸気吐出部１６のノズル１７から出た蒸気が接続部１８を通過するときに酸素富化空気を孔２１から吹き付けて蒸気と酸素富化空気を混ぜ合わせることにより、接続部１８から蒸気がでるときには、すでに蒸気全体に満遍なく混ざっている。
【００２９】
次に接続部１８の外周筒部２３を延ばし、孔２１を接続部１８の奥行き方向（蒸気の吐出方向）に沿って複数個設けた別の事例を図８にて説明する。図８は、接続部１８の要部拡大断面図であり、蒸気吐出部１６に取り付けられた接続部１８の内面側壁２２に孔２１を設けて蒸気がでてくるところに酸素富化空気を噴出するようにしている。
【００３０】
上記構成において動作を説明すると、本体１でつくられた酸素富化空気は、酸素富化空気吐出部６からチューブ９を介して、接続部１８のチューブ接続部１９を通り、蒸気吐出部１６につながる接続部１８の内面側壁２２の孔２１から噴出される。このため、蒸気吐出部１６のノズル１７から出た蒸気が、外周筒部２３を長くした接続部１８を通過するときに、酸素富化空気を接続部１８の奥行き方向に複数個設けた孔２１から吹き付けて蒸気と酸素富化空気を混ぜ合わせることにより、接続部１８から蒸気がでるときには、すでに蒸気全体に満遍なく混ざっており、また、外周筒部２３が長いことにより蒸気が接続部１８にて広がることの制限を受け、皮膚に集中して吹きつけることができ、使用者が当てたいところに当てることができ使いやすい。
【００３１】
また、外周筒部２３を長くすることにより、酸素富化空気が外気に触れる距離が短くなり、酸素富化空気の酸素濃度が低下しにくくなるので、より酸素濃度が高い酸素富化空気を皮膚に当てることができる。
【００３２】
なお、接続部１８は、蒸気吐出部１６内のノズル１７から噴出される蒸気が拡散するのを規制するため、蒸気が結露しやすい。このため結露した水分が接続部１８内に残り、菌が発生することがあるため接続部１８を形成する材料については抗菌剤を添加した材料を使い菌の発生を防止している。抗菌処理については、樹脂材料に添加するだけでなく、抗菌コートする等の手段がある。
【００３３】
また、接続部１８の形状は、内部に酸素富化空気を通す必要があるため、また、蒸気吐出部１６に取り付ける必要があるため、２部品の樹脂成形品からなりこの２部品をタイトするために溶着している。
【産業上の利用可能性】
【００３４】
以上のように本発明にかかる酸素富化機は、酸素富化空気を蒸気と共に使用者の皮膚に吹き付けることができるため、美顔器等エステ用機器に応用展開ができ家庭用や業務用途に有用である。
【図面の簡単な説明】
【００３５】
【図１】本発明の実施の形態１における酸素富化機の全体構成を示す斜視図
【図２】同酸素富化機の断面図
【図３】（ａ）同酸素富化機の右側面図（ｂ）同酸素富化機の背面図
【図４】同酸素富化機の接続部の要部断面図
【図５】同接続部の他の例を示す要部断面図
【図６】同接続部の他の例を示す要部断面図
【図７】同接続部の他の例を示す要部断面図
【図８】同接続部の他の例を示す要部断面図
【符号の説明】
【００３６】
１  酸素富化機本体
２  酸素富化膜ユニット（酸素富化手段）
６  酸素富化空気吐出部
８  空気流路
９  チューブ
１０  制御手段
１３  美顔器本体
１４  タンク
１５  加熱手段
１６  蒸気吐出部
１８  接続部
１９  チューブ接続部
２０  先端平面部
２１  孔
２２  内面側壁
２３  外周筒部
２４  平面
【図１】
2006174896.tif 000003
【図２】
2006174896.tif 000004
【図３】
2006174896.tif 000005
【図４】
2006174896.tif 000006
【図５】
2006174896.tif 000007
【図６】
2006174896.tif 000008
【図７】
2006174896.tif 000009
【図８】
2006174896.tif 000010